(57)【要約】【課題】子供にとって開蓋の方法がわかりにくく、しかも、部品点数が少なく、構造が簡単で、長期間損傷したり、破損したりすることがないキャップ付き容器を提供する。【解決手段】容器１とキャップ１１とを備え、上記口部４の外周面に第１上側ねじ部５が刻設され、この第１上側ねじ部５の下側にこの第１上側ねじ部５に対して逆ねじとなる第１下側ねじ部６が刻設され、上記キャップ１１の内周面に、第１上側ねじ部５に螺合する第２上側ねじ部１４および第１下側ねじ部６に螺合する第２下側ねじ部１６が刻設され、閉蓋状態では上記両上側ねじ部５，６が螺合し、かつ第１下側ねじ部１４の下側に第２下側ねじ部１６が位置し、この閉蓋状態から開蓋状態に移行させる途中で、上記両上側ねじ部５，６の螺合が外れて第１下側ねじ部１４に対応する位置に第２下側ねじ部１６が上昇し上記両下側ねじ部１４，１６を螺合させうるように構成している。【選択図】図１
2008030801.tif 000002
【特許請求の範囲】
【請求項１】
容器と、この容器の口部に螺着されるキャップとを備え、上記容器の口部の外周面に第１上側ねじ部が刻設されているとともに、この第１上側ねじ部の下側にこの第１上側ねじ部に対して逆ねじとなる第１下側ねじ部が刻設され、上記キャップの内周面に、第１上側ねじ部に螺合する第２上側ねじ部および第１下側ねじ部に螺合する第２下側ねじ部が刻設され、上記両上側ねじ部を螺合させた状態で上記容器の口部に対してキャップを所定の方向に相対回動させることによりキャップを上昇可能に構成するとともに、上記両下側ねじ部を螺合させた状態でキャップを上記所定の方向に対し逆の方向に相対回動させることによってもキャップを上昇可能に構成し、閉蓋状態では、上記両上側ねじ部が螺合し、かつ第１下側ねじ部の下側に所定の隙間をあけて第２下側ねじ部が位置し、この閉蓋状態から開蓋状態に移行させる途中で、上記両上側ねじ部の螺合が外れるとともに第１下側ねじ部に対応する位置に第２下側ねじ部が上昇して上記両下側ねじ部を螺合させうるように構成したことを特徴とするキャップ付き容器。
【請求項２】
容器と、この容器の口部に螺着されるキャップとを備え、上記容器の口部の外周面に係合部が係合されているとともに、この係合部の下側に第１ねじ部が刻設され、上記キャップの内周面に、上記係合部に対し上方への抜け出し防止状に係合する被係合部が形成されているとともに、この被係合部の下側に、上記第１ねじ部に螺合する第２ねじ部が刻設され、上記両ねじ部を螺合させた状態で上記容器の口部に対してキャップを所定の方向に相対回動させることによりキャップを上昇可能に構成し、上記キャップの上部が弾性変形可能であり、上記キャップの上部の、相対向する一側部同士を内側に押圧してキャップを横長形状に弾性変形させることにより、相対向する他側部同士の間隔を拡げて上記容器の係合部とキャップの被係合部との係合を外し上記係合部の上方に上記被係合部を抜き出し可能に構成し、閉蓋状態では、上記両係合部が係合し、かつ第１ねじ部の下側に所定の隙間をあけて第２ねじ部が位置し、この閉蓋状態から開蓋状態に移行させる途中で、上記係合が外れた状態のキャップを上方に移動させることにより第１下側ねじ部に対応する位置に第２下側ねじ部を上昇させて上記両下側ねじ部を螺合させうるように構成したことを特徴とするキャップ付き容器。
【請求項３】
上記容器の口部の上部外周面に形成された係合部が、凹部もしくは凸部であり、上記キャップの上部内周面に形成された被係合部が、上記容器の口部の径方向に沿って移動しうる凸部もしくは凹部である上記請求項２記載のキャップ付き容器。
【発明の詳細な説明】
【技術分野】
【０００１】
本発明は、子供が誤ってキャップを開けて容器内の薬液等を飲んでしまうという事故等を防ぐようにした誤飲防止用のキャップ付き容器に関するものである。
【背景技術】
【０００２】
従来から、各種の液体，錠剤等を収容する容器と、この容器の口部にねじ止めされるキャップとからなるキャップ付き容器が多く出回っているが、このものは、容器の口部にキャップをねじ止めしているだけであるため、子供でも簡単に開蓋することができる。したがって、容器内に人体に有害な薬液等が収容されている場合にも、子供が誤って開蓋して容器内の薬液等を飲んでしまうという事故等が発生する恐れがある。
【０００３】
そこで、このような事故等を防ぐため、例えば、図１８に示すような容器の安全キャップが提案されている。この安全キャップは、外キャップ４１と、この外キャップ４１内に回転自在および上下動自在に収容される内キャップ４２とを備えており、上記外キャップ４１の上壁４１ａの外周縁部に６個の突子４３を突設するとともに、内周部にラチェット機構４４の一方を構成する４個の固定爪４５を突設し、上記内キャップ４２の円筒体４２ａの上端面に６個のキー４６を突設するとともに、中壁４２ｂに、ラチェット機構４４の他方を構成する４個の制止爪４７を突設している。また、これら各制止爪４７は、下方への押圧力を与えると深く屈曲しその押圧力を解除すると元の状態に復帰する弾力を備えている。
【０００４】
そして、上記の安全キャップで容器口を閉蓋する場合には、通常どおり、外キャップ４１を時計回り方向に回転する。このとき、上記ラチェット機構４４の固定爪４５とキー４６との噛み合いにより、内外両キャップ４１，４２が一体化されており、容器口に内キャップ４２をねじ止めすることができる。一方、開蓋する場合には、単に外キャップ４１を反時計回り方向に回転してもラチェット機構４４により空回りするだけであるため、外キャップ４１を下側に押し付けて突子４３とキー４６とを係合させ、この係合により内外両キャップ４１，４２を一体化したのち外キャップ４１を反時計回り方向に回転することを行う（例えば、特許文献１参照）。図において、４８は上記容器口の雄ねじ（図示せず）に螺合する雌ねじで、４９はパッキングである。
【特許文献１】特開平１０−１５２１５５号公報
【発明の開示】
【発明が解決しようとする課題】
【０００５】
しかしながら、上記の安全キャップでは、外キャップ４１と内キャップ４２とを備えているため、部品点数が多く、在庫管理等の管理面が複雑化する。しかも、外キャップ４１に６個の突子４３と、ラチェット機構４４の一方を構成する４個の固定爪４５を突設し、内キャップ４２に、６個のキー４６と、ラチェット機構４４の他方を構成する４個の制止爪４７を突設しているため、構造が複雑であり、製造コストが高価になる。しかも、開蓋操作中は常に、ラチェット機構４４を構成する固定爪４５，制止爪４７に下向きの大きな力が作用しているため、これら固定爪４５，制止爪４７が早期に損傷したり、破損したりする。
【０００６】
本発明は、このような事情に鑑みなされたもので、子供にとって開蓋の方法がわかりにくく、しかも、部品点数が少なく、構造が簡単で、長期間損傷したり、破損したりすることがないキャップ付き容器の提供を目的とする。
【課題を解決するための手段】
【０００７】
上記の目的を達成するため、本発明は、容器と、この容器の口部に螺着されるキャップとを備え、上記容器の口部の外周面に第１上側ねじ部が刻設されているとともに、この第１上側ねじ部の下側にこの第１上側ねじ部に対して逆ねじとなる第１下側ねじ部が刻設され、上記キャップの内周面に、第１上側ねじ部に螺合する第２上側ねじ部および第１下側ねじ部に螺合する第２下側ねじ部が刻設され、上記両上側ねじ部を螺合させた状態で上記容器の口部に対してキャップを所定の方向に相対回動させることによりキャップを上昇可能に構成するとともに、上記両下側ねじ部を螺合させた状態でキャップを上記所定の方向に対し逆の方向に相対回動させることによってもキャップを上昇可能に構成し、閉蓋状態では、上記両上側ねじ部が螺合し、かつ第１下側ねじ部の下側に所定の隙間をあけて第２下側ねじ部が位置し、この閉蓋状態から開蓋状態に移行させる途中で、上記両上側ねじ部の螺合が外れるとともに第１下側ねじ部に対応する位置に第２下側ねじ部が上昇して上記両下側ねじ部を螺合させうるように構成したキャップ付き容器を第１の要旨とし、容器と、この容器の口部に螺着されるキャップとを備え、上記容器の口部の外周面に係合部が係合されているとともに、この係合部の下側に第１ねじ部が刻設され、上記キャップの内周面に、上記係合部に対し上方への抜け出し防止状に係合する被係合部が形成されているとともに、この被係合部の下側に、上記第１ねじ部に螺合する第２ねじ部が刻設され、上記両ねじ部を螺合させた状態で上記容器の口部に対してキャップを所定の方向に相対回動させることによりキャップを上昇可能に構成し、上記キャップの上部が弾性変形可能であり、上記キャップの上部の、相対向する一側部同士を内側に押圧してキャップを横長形状に弾性変形させることにより、相対向する他側部同士の間隔を拡げて上記容器の係合部とキャップの被係合部との係合を外し上記係合部の上方に上記被係合部を抜き出し可能に構成し、閉蓋状態では、上記両係合部が係合し、かつ第１ねじ部の下側に所定の隙間をあけて第２ねじ部が位置し、この閉蓋状態から開蓋状態に移行させる途中で、上記係合が外れた状態のキャップを上方に移動させることにより第１下側ねじ部に対応する位置に第２下側ねじ部を上昇させて上記両下側ねじ部を螺合させうるように構成したキャップ付き容器を第２の要旨とする。
【発明の効果】
【０００８】
すなわち、本発明の第１のキャップ付き容器は、閉蓋状態では、容器の口部の外周面の第１上側ねじ部とキャップの内周面の第２上側ねじ部とが螺合しており、容器の口部の外周面の（上記第１上側ねじ部に対して逆ねじとなる）第１下側ねじ部の下側にキャップの内周面の第２下側ねじ部が位置している。このような閉蓋状態から開蓋状態に移行させる場合には、まず、上記容器の口部に対してキャップを所定の方向に相対回動させることで上記両上側ねじ部の螺合によりキャップを上昇させる。ついで、この上昇により上記両上側ねじ部の螺合が外れると、第１下側ねじ部に対応する位置に第２下側ねじ部が上昇しており、キャップを上記所定の方向に対し逆の方向に相対回動させることで上記両下側ねじ部が螺合してキャップが再度上昇し、この上昇により容器の口部からキャップが取り外される。一方、閉蓋する場合には、上記開蓋作業と逆の手順を行う。
【０００９】
上記のように、本発明の第１のキャップ付き容器では、開蓋する場合には、キャップの回転方向を途中で逆にしなければならず、子供にとって開蓋の方法がわかりにくい。しかも、容器以外には１個のキャップがあればよく、部品点数が少なく、在庫管理等の管理面が簡単化する。しかも、キャップの内周面に第２上側ねじ部と、この第２上側ねじ部に対して逆ねじとなる第２下側ねじ部とが刻設されているだけであるため、構造が簡単であり、製造コストが安価になる。しかも、開蓋はキャップを回転させるだけで行えるため、小さな力で行え、長期間にわたってキャップが損傷したり、破損したりすることがない。
【００１０】
また、本発明の第２のキャップ付き容器は、閉蓋状態では、容器の口部の外周面の係合部とキャップの内周面の被係合部とが上方への抜け出し防止状に係合しており、容器の口部の外周面の第１ねじ部の下側にキャップの内周面の第２ねじ部が位置している。このような閉蓋状態から開蓋状態に移行させる場合には、まず、上記キャップの上部の、相対向する一側部同士を内側に押圧してキャップを横長形状に弾性変形させることにより、相対向する他側部同士の間隔を拡げて上記係合を外し、この係合が外れたキャップを上方に移動させることにより第１下側ねじ部に対応する位置に第２下側ねじ部を上昇させ、キャップを所定の方向に相対回動させることで上記両ねじ部が螺合してキャップが上昇し、この上昇により容器の口部からキャップが取り外される。一方、閉蓋する場合には、上記開蓋作業と逆の手順を行う。
【００１１】
上記のように、本発明の第２のキャップ付き容器では、開蓋する場合には、キャップを下方に押圧したのち所定の方向に回転させなければならず、子供にとって開蓋の方法がわかりにくい。しかも、容器以外には１個のキャップがあればよく、部品点数が少なく、在庫管理等の管理面が簡単化する。しかも、キャップの内周面に被係合部と第２ねじ部が形成されているだけであるため、構造が簡単であり、製造コストが安価になる。しかも、開蓋はキャップを下方に押圧したのち所定の方向に回転させるだけで行えるため、小さな力で行え、長期間にわたってキャップが損傷したり、破損したりすることがない。
【００１２】
また、本発明の第２のキャップ付き容器において、上記容器の口部の上部外周面に形成された係合部が、凹部もしくは凸部であり、上記キャップの上部内周面に形成された被係合部が、上記容器の口部の径方向に沿って移動しうる凸部もしくは凹部である場合には、キャップの上部の、相対向する一側部同士を内側に押圧してキャップを横長形状に弾性変形させるだけで、簡単に上記両係合部の係合を外すことができる。
【発明を実施するための最良の形態】
【００１３】
つぎに、本発明を実施するための最良の形態について説明する。ただし、本発明は、この実施の形態に限られるものではない。
【００１４】
図１は本発明の第１のキャップ付き容器の一実施の形態を示している。図において、１は合成樹脂製の容器であり、内部に薬液等の内容物（図示せず）を収容する胴部２と、この胴部２の上端開口部から上方に向かって縮径状に延びる肩部３と、この肩部３の上端開口部から上方に向かって略円筒状に延びる口部４とを備えている。この口部４は、その外周面が段付き状に形成されており、外周面が小径に形成された上側小径部４ａと、外周面が上側小径部４ａより大径に形成された下側大径部４ｂとからなっている。
【００１５】
そして、図２および図３に示すように、上記上側小径部４ａには第１上側ねじ部５が間欠状に刻設されており、上記下側大径部４ｂには、上記第１上側ねじ部５に対して逆ねじとなる第１下側ねじ部６が間欠状に刻設されているとともに、この第１下側ねじ部６の下側に、後述するキャップ１１の第２下側ねじ部１６が螺旋状に空回りしながら上下動しうる円筒部７が形成されている。なお、上記第１上側ねじ部５のねじ山の高さは、上記下側大径部４ｂの外周面から突出しない高さ（上記下側大径部４ｂの外周面と同一もしくは低くなる高さ）に形成されており、これにより、上記キャップ１１の第２下側ねじ部１６が口部４の上側小径部４ａを通過する際に上記第２下側ねじ部１６と第１上側ねじ部５とが干渉し合わないようにしている。
【００１６】
１１は有天円筒状に形成された合成樹脂製のキャップ（図１参照）であり、略円筒形状に形成された外壁１２，内壁１３からなる内外二重壁構造に形成されている。上記内壁１３は、その内周面が段付き状に形成されており、内周面が小径に形成された上側小径部１３ａと、内周面が上側小径部１３ａより大径に形成された下側大径部１３ｂとからなっている。
【００１７】
そして、図４に示すように、上記上側小径部１３ａには、上記口部４の第１上側ねじ部５（図１参照）に螺合する第２上側ねじ部１４が間欠状に刻設されており、上記下側大径部１３ｂには、上記口部４の第１下側ねじ部６が上下動しうる円筒部１５が形成されているとともに、この円筒部１５の下側に、第１下側ねじ部６に螺合する（すなわち、第２上側ねじ部１４に対して逆ねじとなる）第２下側ねじ部１６が間欠状に刻設されている。１７は上記キャップ１１の天井壁に接着，固定された合成樹脂製もしくはゴム製の円板状シール材であり、閉蓋状態で上記口部４の上端開口部を密封する作用をする。
【００１８】
上記の構成において、容器１の口部４にキャップ１１を閉蓋した状態では、上記両上側ねじ部５，１４は螺合しており、また、第１下側ねじ部６の下側に所定の距離をあけた状態で第２下側ねじ部１６が位置決めされている（図１および図５参照）。
【００１９】
この閉蓋状態からキャップ１１を開蓋する場合には、まず、キャップ１１を反時計回り方向に回転させ、上記両上側ねじ部５，１４の螺合によりキャップ１１を上昇させる。このとき、キャップ１１の第２下側ねじ部１６は口部４の円筒部７の外周を螺旋状に空回りしながら上昇する。ついで、キャップ１１が所定の位置まで上昇して上記両上側ねじ部５，１４の螺合が外れると、これと同時にもしくはキャップ１１を少し上昇させることで、第１下側ねじ部６と第２下側ねじ部１６とが当接し、もしくは第１下側ねじ部６に対応する位置に第２下側ねじ部１６が位置決めされ（図６および図７参照）、この状態でキャップ１１を上方に引っ張りながら時計回り方向に回転させると、上記両下側ねじ部６，１６が螺合し、この螺合によりキャップ１１が再度上昇して（図８および図９参照）口部４から取り外される。
【００２０】
一方、キャップ１１を閉蓋する場合には、まず、容器１の口部４にキャップ１１を外嵌状に挿入し、ついで、上記両下側ねじ部６，１６が当接すると、キャップ１１を反時計回り方向に回転させて上記両下側ねじ部６，１６の螺合によりキャップ１１を下降させる。つぎに、キャップ１１が所定の位置まで下降して上記螺合が外れる（第２下側ねじ部１６の下側に第１下側ねじ部６が配設されていない位置までキャップ１１を回転させる）と、これと同時にもしくはキャップ１１を少し下降させることで、上記両上側ねじ部５，１４とが当接し、もしくは第１上側ねじ部５に対応する位置に第２上側ねじ部１４が位置決めされ、この状態でキャップ１１を時計回り方向に回転させると、上記両上側ねじ部５，１４が螺合し、この螺合によりキャップ１１が再度下降して（このとき、第２下側ねじ部１６は円筒部７の外周を螺旋状に空回りしながら下降する）口部４に取り付けられる。
【００２１】
このように、上記実施の形態では、開蓋する場合には、キャップ１１を下方に押圧したのち所定の方向に回転させなければならず、子供にとって開蓋の方法がわかりにくい。しかも、容器１以外には１個のキャップ１１があればよく、部品点数が少なく、在庫管理等の管理面が簡単化する。しかも、キャップ１１の内周面に第２上側ねじ部１４と、この第２上側ねじ部１４に対して逆ねじとなる第２下側ねじ部１６とが刻設されているだけであるため、構造が簡単であり、製造コストが安価になる。しかも、開蓋はキャップ１１を回転させるだけで行えるため、小さな力で行え、長期間にわたってキャップ１１が損傷したり、破損したりすることがない。
【００２２】
図１０は本発明の第２のキャップ付き容器の一実施の形態を示している。この実施の形態では、容器１の口部４には、その上側小径部４ａの上端部に円環状の係合凸部２１が突設されており、下側大径部４ｂには、第１ねじ部２２が間欠状に刻設されている（図１１および図１２参照）。
【００２３】
一方、キャップ１１は、内外二重壁構造に形成されており、（例えば、前後方向に長くて左右方向に短い）略楕円形状に形成された外壁１２と、略円筒形状に形成された内壁１３とからなっている（図１３および図１４参照）。上記内壁１３には、その上側小径部１３ａの内周面の、相対向する両側面（例えば、左右両側面）に、上記係合凸部２１に着脱自在に係合する一対の被係合凸部２３が相対向する状態で形成されており、上記下側大径部１３ｂには、第１ねじ部２２に螺合する第２ねじ部２４が間欠状に刻設されている。また、上記キャップ１１は、外壁１２および内壁１３の上端部が弾性変形可能に形成されており、上記外壁１２の前後両側部分を内側に押圧することにより、内壁１３の左右両側部分が弾性変形して外側に移動し（左右両側部分間の間隔が拡がり）上記係合が外れる（すなわち、係合凸部２１の外側に両被係合凸部２３が飛び出す）ようにしている（図１４および図１５の矢印参照）。それ以外の部分は上記実施の形態と同様であり、同様の部分には同じ符号を付している。
【００２４】
上記の構成において、容器１の口部４にキャップ１１を閉蓋した状態では、キャップ１１の両被係合凸部２３が上記口部４の係合凸部２１の下側に位置決めされて上方への抜け出し防止状に係合している。また、上記両ねじ部２２，２４は螺合していない（図１０参照）。
【００２５】
この閉蓋状態からキャップ１１を開蓋する場合には、まず、キャップ１１の外壁１２の前後両側部分を内側に押圧して上記係合凸部２１，両被係合凸部２３の係合を外し（図１６参照）、ついで、キャップ１１を上方に持ち上げて、上記両ねじ部２２，２４を当接させ、もしくは第１ねじ部２２に対応する位置に第２ねじ部２４を位置決めさせ、この状態でキャップ１１を上方に引っ張りながら反時計回り方向に回転させると、上記両ねじ部２２，２４が螺合し、この螺合によりキャップ１１が上昇して（図１７参照）口部４から取り外される。
【００２６】
一方、閉蓋する場合には、まず、容器１の口部４にキャップ１１を外嵌状に挿入し、ついで、上記両ねじ部２２，２４が当接すると、キャップ１１を時計回り方向に回転させて上記両ねじ部２２，２４の螺合によりキャップ１１を下降させる。つぎに、キャップ１１が所定の位置まで下降して上記螺合が外れる（第２ねじ部２４の下側に第１ねじ部２２が配設されていない位置までキャップ１１を回転させる）と、キャップ１１の外壁１２の前後両側部分を内側に押圧しながらキャップ１１を下降させて上記係合凸部２１，両被係合凸部２３を係合させ、口部４に取り付ける。
【００２７】
このように、上記実施の形態では、開蓋する場合には、キャップ１１を下方に押圧したのち所定の方向に回転させなければならず、子供にとって開蓋の方法がわかりにくい。しかも、容器１以外には１個のキャップ１１があればよく、部品点数が少なく、在庫管理等の管理面が簡単化する。しかも、キャップ１１の内周面に被係合凸部２３と第２ねじ部２４が形成されているだけであるため、構造が簡単であり、製造コストが安価になる。しかも、開蓋はキャップ１１を下方に押圧したのち所定の方向に回転させるだけで行えるため、小さな力で行え、長期間にわたってキャップ１１が損傷したり、破損したりすることがない。
【００２８】
なお、上記両実施の形態では、容器１の口部４に刻設した第１上側ねじ部５，第１ねじ部２２およびキャップ１１に刻設した第２上側ねじ部１４，第２ねじ部２４を、開蓋時に反時計回り方向に回転し、容器１の口部４に刻設した第１下側ねじ部６およびキャップ１１に刻設した第２下側ねじ部１６を、開蓋時に時計回り方向に回転しているが、これに限定するものではなく、逆の方向に回転してもよい。
【００２９】
また、上記両実施の形態では、容器１の口部４の外周面に上側小径部４ａ，下側大径部４ｂが形成され、キャップの内周面に上側小径部１３ａ，下側大径部１３ｂが形成されてているが、上記外周面および内周面の双方が、その上下全幅にわたって同径であってもよい。
【図面の簡単な説明】
【００３０】
【図１】本発明の第１のキャップ付き容器の一実施の形態を示す要部の断面図である。
【図２】容器の口部を示す断面図である。
【図３】上記口部を示す側面図である。
【図４】キャップの断面図である。
【図５】上記第１のキャップ付き容器の作用を示す側面図である。
【図６】上記第１のキャップ付き容器の作用を示す断面図である。
【図７】上記第１のキャップ付き容器の作用を示す側面図である。
【図８】上記第１のキャップ付き容器の作用を示す断面図である。
【図９】上記第１のキャップ付き容器の作用を示す側面図である。
【図１０】本発明の第２のキャップ付き容器の一実施の形態を示す要部の断面図である。
【図１１】上記口部を示す断面図である。
【図１２】上記口部を示す側面図である。
【図１３】キャップの断面図である。
【図１４】上記キャップの平面図である。
【図１５】上記キャップの作用を示す説明図である。
【図１６】上記第２のキャップ付き容器の作用を示す断面図である。
【図１７】上記第２のキャップ付き容器の作用を示す断面図である。
【図１８】従来例を示す断面図である。
【符号の説明】
【００３１】
１  容器
４  口部
５  第１上側ねじ部
６  第１下側ねじ部
１１  キャップ
１４  第２上側ねじ部
１６  第２下側ねじ部
【図１】
2008030801.tif 000003
【図２】
2008030801.tif 000004
【図３】
2008030801.tif 000005
【図４】
2008030801.tif 000006
【図５】
2008030801.tif 000007
【図６】
2008030801.tif 000008
【図７】
2008030801.tif 000009
【図８】
2008030801.tif 000010
【図９】
2008030801.tif 000011
【図１０】
2008030801.tif 000012
【図１１】
2008030801.tif 000013
【図１２】
2008030801.tif 000014
【図１３】
2008030801.tif 000015
【図１４】
2008030801.tif 000016
【図１５】
2008030801.tif 000017
【図１６】
2008030801.tif 000018
【図１７】
2008030801.tif 000019
【図１８】
2008030801.tif 000020